(57)【要約】【課題】半田付けをすることなく２つの接続対象物を接続することができるコネクタを提供する。【解決手段】インシュレータ３内に組み込まれるコンタクト５に、ＬＥＤ１１の端子部１１１に接触可能な第１接触部５１と、第１接触部５１を端子部１１１に押しつける第１ばね部５２と、プリント基板の端子部１２１に接触可能な第２接触部５３と、第２接触部５３をプリント基板の端子部１２１に押しつける第２ばね部５４とを設けた。【選択図】        図１
2004192877.tif 000002
【特許請求の範囲】
【請求項１】
インシュレータと、このインシュレータ内に組み込まれるコンタクトとを備え、
一方の接続対象物の端子部と、この端子部に対してほぼ直角に配置された他方の接続対象物の端子部とを電気的に接続するコネクタにおいて、
前記コンタクトは、
前記一方の接続対象物の端子部に接触可能な第１接触部と、この第１接触部を前記一方の接続対象物の端子部に押しつける第１ばね部と、前記他方の接続対象物の端子部に接触可能な第２接触部と、この第２接触部を前記他方の接続対象物の端子部に押しつける第２ばね部とを有することを特徴とするコネクタ。
【請求項２】
前記コンタクトの一部を構成し、前記第１ばね部と前記第２ばね部との間に位置する湾曲部と、
この湾曲部の入口間隔を押し広げて、前記第１接触部を前記一方の接続対象物の端子部に押しつけるスライダと
を備えていることを特徴とする請求項１記載のコネクタ。
【請求項３】
前記コンタクトは、前記第１接触部と前記第１ばね部との間に位置し、前記一方の接続対象物をロックするロック部を有することを特徴とする請求項１又は２記載のコネクタ。
【請求項４】
前記他方の接続対象物がプリント基板であり、前記一方の接続対象物が前記プリント基板に実装される発光ダイオードであり、
前記スライダが、前記発光ダイオードから射出された光を集中、拡散する導波板に設けられた突起部で構成されている
ことを特徴とする請求項２記載のコネクタ。
【発明の詳細な説明】
【０００１】
【発明の属する技術分野】
この発明は一方の接続対象物の端子部と他方の接続対象物の端子部とが直角な関係にある接続対象物同士を電気的に接続するコネクタに関する。
【０００２】
【従来の技術】
【０００３】
【特許文献】
特開平８−２２７７６３号
【０００４】
一方の接続対象物の端子部と、この端子部に対してほぼ直角に配置された他方の接続対象物の端子部とを電気的に接続するコネクタとしては特開平８−２２７７６３号公報に開示されたものが知られている。
【０００５】
このコネクタはインシュレータとコンタクトとスライダとを備えている。
【０００６】
インシュレータはほぼ枠状であり、一方の接続対象物（例えばセラミック基板）の一部を受け容れるとともに他方の接続対象物（例えば固定基板）上に配置される。インシュレータはコンタクト挿入溝とスライダ挿入溝とを有する。コンタクト挿入溝はインシュレータの各辺構成梁に多数形成されている。スライダ挿入溝は各辺構成梁の上部に形成されている。
【０００７】
コンタクトはコンタクト挿入溝内に組み込まれている。コンタクトは接触部（抜け止め接触部）とばね部（上外方付勢部）と被押圧部と固定導通脚とを有する。接触部は一方の接続対象物の端子部に接触するともに、一方の接続対象物の抜け止めを行う。ばね部は接触部を一方の接続対象物の端子部に押しつける。被押圧部はスライダによって押圧され、ばね部を一方の接続対象物の方へ押しこむ。固定導通脚は他方の接続対象物の端子部に半田付けされる。
【０００８】
スライダはインシュレータのスライダ挿入溝に挿入される。スライダはコンタクトの被押圧部を押圧する傾斜壁面を有している。
【０００９】
このコネクタを用いて接続対象物同士を接続するには、予めコンタクトの固定導通脚を他方の接続対象物の端子部に半田付けしておく。また、スライダをインシュレータから外ておく。
【００１０】
この状態で、インシュレータ内に一方の接続対象物を挿入する。このとき、接触部が一方の接続対象物に接触しないので、一方の接続対象物は無挿入力でインシュレータ内に挿入される。次に、スライダをスライダ挿入溝に挿入する。このとき、スライダの傾斜壁面が被押圧部を押圧する。被押圧部が押圧されると、ばね部にばね力が生じ、このばね力によって接触部が一方の接続対象物の端子部に接触するとともに一方の接続対象物をロックする。この結果、コンタクトを通じて接続対象物同士が電気的に接続されるとともに、一方の接続対象物の一部が接触部によってインシュレータ内にロックされる。
【００１１】
【発明が解決しようとする課題】
この従来のコネクタの固定導通脚は他方の接続対象物の端子部に直接半田付けされる。このため、接続対象物やコネクタの修理や交換作業を容易に行うことができなかった。
【００１２】
また、固定導通脚を半田付けするためにリフロー工程が必要であるので、２つの接続対象物を接続する作業が容易ではなかった。
【００１３】
この発明はこのような事情に鑑みてなされたもので、その課題は半田付けをすることなく２つの接続対象物を接続することができるコネクタを提供することである。
【００１４】
【課題を解決するための手段】
前述の課題を解決するため請求項１の発明のコネクタは、インシュレータと、このインシュレータ内に組み込まれるコンタクトとを備え、一方の接続対象物の端子部と、この端子部に対してほぼ直角に配置された他方の接続対象物の端子部とを電気的に接続するコネクタにおいて、前記コンタクトは、前記一方の接続対象物の端子部に接触可能な第１接触部と、この第１接触部を前記一方の接続対象物の端子部に押しつける第１ばね部と、前記他方の接続対象物の端子部に接触可能な第２接触部と、この第２接触部を前記他方の接続対象物の端子部に押しつける第２ばね部とを有することを特徴とする。
【００１５】
上述のように他方の接続対象物の端子部に接触可能な第２接触部と、この第２接触部を他方の接続対象物の端子部に押しつける第２ばね部とを有するので、コネクタを他方の接続対象物上に配置すれば、第２ばね部のばね力によって第２接触部が他方の接続対象物の端子部に接触する。
【００１６】
請求項２の発明は、請求項１記載のコネクタにおいて、前記コンタクトの一部を構成し、前記第１ばね部と前記第２ばね部との間に位置する湾曲部と、この湾曲部の入口間隔を押し広げて、前記第１接触部を前記一方の接続対象物の端子部に押しつけるスライダとを備えていることを特徴とする。
【００１７】
上述のように湾曲部の入口間隔を押し広げて、第１接触部を一方の接続対象物の端子部に押しつけるスライダを備えているので、湾曲部の入口間隔が押し広げられていない状態のときに第１接触部が一方の接続対象物の端子部に接触しないようにすれば、一方の接続対象物を無挿入力でインシュレータ内に挿入することができる。
【００１８】
請求項３の発明は、請求項１又は２記載のコネクタにおいて、前記コンタクトは、前記第１接触部と前記第１ばね部との間に位置し、前記一方の接続対象物をロックするロック部を有することを特徴とする。
【００１９】
上述のように第１接触部と第１ばね部との間にロック部を有し、第１接触部とロック部とが分かれているので、接触部が一方の接続対象物の端子部と接触するだけで端子部をロックせず、ロック部が端子部以外の部分をロックする。
【００２０】
請求項４の発明は、請求項２記載のコネクタにおいて、前記他方の接続対象物がプリント基板であり、前記一方の接続対象物が前記プリント基板に実装される発光ダイオードであり、前記スライダが、前記発光ダイオードから射出された光を集中、拡散する導波板に設けられた突起部で構成されていることを特徴とする。
【００２１】
上述のようにスライダが、導波板に設けられた突起部で構成されているので、スライダと導波板とを別部品にする必要が無い。
【００２２】
【発明の実施の形態】
以下、この発明の実施の形態を図面に基づいて説明する。
【００２３】
図１〜６はこの発明の一実施形態に係るコネクタを示し、図１はコネクタの分解斜視図、図２は図１に示すインシュレータを切断した状態を示す斜視図、図３は図１に示すコンタクトの斜視図、図４は図１に示す導波板を切断した状態を示す斜視図、図５は図１に示す導波板を装着していないコネクタを切断した状態を示す斜視図、図６は図１に示す導波板を装着したコネクタを切断した状態を示す斜視図である。
【００２４】
図１に示すように、この実施形態のコネクタ１は一方の接続対象物である発光ダイオード（以下ＬＥＤという）１１を収容した状態で他方の接続対象物であるプリント基板１２上に配置され（図１０参照）、ＬＥＤ１１の端子部１１１と、この端子部１１１にほぼ直角に配置されたプリント基板１２の端子部１２１とを電気的に接続する。コネクタ１はインシュレータ３とコンタクト５と導波板７とを有する。
【００２５】
図２に示すように、インシュレータ３はほぼ筐体状であり、側壁部３１，３１，３２，３２と底部３３とを有する。相対する側壁部３１，３１間には複数の隔壁部３４が等間隔に設けられている。隔壁部３４の中央部には切欠き３４ａが形成されている。切欠き３４ａは隔壁部３４が導波板７に干渉しないようにするためのものである。複数の隔壁部３４の端部と側壁部３１とで複数のコンタクト収容室３５が形成されている。また、複数の隔壁部３４の中央部と底部３３とで複数のＬＥＤ収容室３６が形成されている。隣り合う隔壁部３４，３４の間には梁３７が設けられている。梁３７はコンタクト収容室３５の上端部に位置する。インシュレータ３の底面３ａの四隅には脚３８が設けられている。
【００２６】
コンタクト５はコンタクト収容室３５内に組み込まれている。図３に示すように、コンタクト５は第１接触部５１と第１ばね部５２と第２接触部５３と第２ばね部５４と湾曲部５５とロック部５６とを有する。
【００２７】
第１接触部５１は円弧状に折り曲げられ、ＬＥＤ収容室３６内に収容されたＬＥＤ１１の端子部１１１に接触可能である。
【００２８】
第１ばね部５２はＵ字状に折り曲げられ、第１接触部５１をＬＥＤ１１の端子部１１１に押しつける。
【００２９】
第２接触部５３は円弧状に折り曲げられ、プリント基板１２の端子部１２１に接触可能である。
【００３０】
第２ばね部５４は第２接触部５３に連なり、ほぼＬ字状に折り曲げられている。第２ばね部５４は第２接触部５３をプリント基板１２の端子部１２１に押しつける。
【００３１】
湾曲部５５はほぼＵ字状に折り曲げられ、湾曲部５５の一端は第１ばね部５２に連なり、湾曲部５５の他端は第２ばね部５４に連なる。
【００３２】
図５に示すように、コンタクト５がコンタクト収容室３５内に収容されると、湾曲部５５の一部が隔壁部３４に強く接し、この結果、コンタクト５はコンタクト収容室３５内に保持される。
【００３３】
ロック部５６はほぼクランク状に折り曲げられ、ロック部５６の一端は第１接触部５１に連なり、ロック部５６の他端は第１ばね部５２に連なる。
【００３４】
図４に示すように、導波板７はＬＥＤ１１から射出された光を集中、拡散する。導波板７は複数の突起部７１と受光部７２とを有する。図６に示すように、複数の突起部７１はそれぞれコンタクト５の湾曲部５５内に挿入される。突起部７１が挿入されると、湾曲部５５は第１ばね部５２を介して第１接触部５１を端子部１１１に押しつける。このように、突起部７１は湾曲部５５の入口間隔を広げて第１接触部５１を端子部１１１に押しつけるスライダとして機能する。受光部７２はＬＥＤ収容室３６内のＬＥＤ１１と対向する。
【００３５】
図７はＬＥＤ１１がインシュレータ３に収容されておらず、導波板７がインシュレータ３から外された状態の断面図、図８はＬＥＤ１１がインシュレータ３に収容され、導波板７がインシュレータ３から外された状態の断面図、図９はＬＥＤ１１がインシュレータ３に収容され、導波板７がインシュレータ３に装着された状態の断面図、図１０はＬＥＤ１１がインシュレータ３に収容され、導波板７がインシュレータ３に装着された状態のコネクタ１をプリント基板１２上に配置した状態の断面図である。
【００３６】
次に、図７〜図１０に基づいてこのコネクタ１を用いてＬＥＤ１１とプリント基板１２とを接続する作業について説明する。
【００３７】
まず、図７に示すように、インシュレータ３にコンタクト５を組み込む。このときインシュレータ３はプリント基板１２から離れている。
【００３８】
次に、図８に示すように、ＬＥＤ１１をインシュレータ３のＬＥＤ収容室３６内に挿入する。このとき、第１接触部５１はＬＥＤ１１の端子部１１１に接触しない。したがって、ＬＥＤ１１は無挿入力でＬＥＤ収容室３６内に挿入される。
【００３９】
その後、図９に示すように、導波板７をインシュレータ３に装着する。このとき、導波板７の突起部７１はコンタクト５の湾曲部５５に挿入され、湾曲部５５の入口間隔を押し広げる。この結果、第１接触部５１は端子部１１１に接触し、ロック部５６はＬＥＤ１１の上面に接してＬＥＤ１１をインシュレータ３内にロックし、更に第１ばね部５２に第１接触部５１を端子部１１１に押しつけるばね力が生じる。
【００４０】
最後に、図１０に示すように、コネクタ１をプリント基板１２上に配置する。このとき第２ばね部５４にばね力が生じ、このばね力により第２接触部５３がプリント基板１２の端子部１２１に押しつけられる。この結果、コネクタ１を通じてＬＥＤ１１とプリント基板１２とが電気的に接続される。この接続状態は、ボルト、逆Ｌ字型のガイド部材等のコネクタ１をプリント基板１２に押しつける加圧部材（図示せず）によって維持される。
【００４１】
以上のようにこの実施形態のコネクタ１によれば、半田付けすることなくＬＥＤ１１とプリント基板１２とを容易に接続できる。このため、コネクタ１やＬＥＤ１１やプリント基板１２の修理及び交換を容易に行うことができる。
【００４２】
また、コンタクト５に湾曲部５５を設け、導波板７に突起部７１を設けたので、ＬＥＤ１１を無挿入力でコネクタ１に挿入することができる。
【００４３】
また、ロック部５６が第１接触部５１と第１ばね部５２との間にあり、すなわち、第１接触部５１とロック部５６とが分かれており、従来のコネクタのようにロック部５６が端子部１１１に接触しないので、端子部１１１が傷むことがない。
【００４４】
更に、導波板７に設けられた突起部７１がスライダとして機能し、スライダと導波板とを別部品にする必要が無いので、部品点数を減らすことができる。
【００４５】
更に、コンタクト５の湾曲部５５に導波板７の突起部７１が挿入されるようになっており、湾曲部５５に突起部７１を挿入したときに突起部７１が湾曲部５５に挟持されるので、導波板７をロックするための部材を設ける必要がない。
【００４６】
なお、この実施形態のコネクタ１はＬＥＤ１１とプリント基板１２とを電気的に接続するものであるが、この発明はこれに限らず、一方の接続対象物の端子部と他方の接続対象物の端子部とが直角な関係にあるものならば適用可能である。
【００４７】
また、この実施形態ではコンタクト５に湾曲部５５を設け、導波板７に突起部７１を設けて、コネクタ１をＺＩＦ（Ｚｅｒｏ  Ｉｎｓｅｒｔｉｏｎ  Ｆｏｒｃｅ）化したが、必ずしもＺＩＦ化しなくてもよい。ＺＩＦ化しない場合、一方の接続対象物をインシュレータに挿入するときに、第１接触部が一方の接続対象物の端子部に接触する。
【００４８】
【発明の効果】
以上説明したように請求項１の発明のコネクタによれば、コネクタを他方の接続対象物上に配置すれば、第２ばね部のばね力によって第２接触部が他方の接続対象物の端子部に接触するので、半田付けをすることなく、両接続対象物を接続することができる。したがって、接続対象物やコネクタの修理及び交換を簡単に行うことができる。
【００４９】
請求項２の発明のコネクタによれば、湾曲部の入口間隔が押し広げられていない状態のときに第１接触部が一方の接続対象物の端子部に接触しないようにすれば、一方の接続対象物を無挿入力でインシュレータ内に挿入することもできる。
【００５０】
請求項３の発明のコネクタによれば、接触部は一方の接続対象物の端子部に接触するだけで端子部をロックせず、ロック部が端子部以外の部分をロックするので、接続作業の際に一方の接続対象物の端子部が傷むのを防止できる。
【００５１】
請求項４の発明のコネクタによれば、スライダと導波板とを別部品にする必要が無いので、部品点数を減らすことができる。
【図面の簡単な説明】
【図１】図１はこの発明の一実施形態のコネクタの分解斜視図である。
【図２】図２は図１に示すインシュレータを切断した状態を示す斜視図である。
【図３】図３は図１に示すコンタクトの斜視図である。
【図４】図４は図１に示す導波板を切断した状態を示す斜視図である。
【図５】図５は図１に示す導波板を装着していないコネクタを切断した状態を示す斜視図である。
【図６】図６は図１に示す導波板を装着したコネクタを切断した状態を示す斜視図である。
【図７】図７はＬＥＤがインシュレータに収容されておらず、導波板がインシュレータから外された状態の断面図である。
【図８】図８はＬＥＤがインシュレータに収容され、導波板がインシュレータから外された状態の断面図である。
【図９】図９はＬＥＤがインシュレータに収容され、導波板がインシュレータに装着された状態の断面図である。
【図１０】図１０はＬＥＤがインシュレータに収容され、導波板がインシュレータに装着された状態のコネクタをプリント基板上に配置した状態の断面図である。
【符号の説明】
１  コネクタ
３  インシュレータ
５  コンタクト
５１  第１接触部
５２  第１ばね部
５３  第２接触部
５４  第２ばね部
５５  湾曲部
５６  ロック部
７  導波板
７１  突起部（スライダ）
１１  ＬＥＤ（一方の接続対象物）
１１１  端子部
１２  プリント基板（他方の接続対象物）
１２１  端子部
【図１】
2004192877.tif 000003
【図２】
2004192877.tif 000004
【図３】
2004192877.tif 000005
【図４】
2004192877.tif 000006
【図５】
2004192877.tif 000007
【図６】
2004192877.tif 000008
【図７】
2004192877.tif 000009
【図８】
2004192877.tif 000010
【図９】
2004192877.tif 000011
【図１０】
2004192877.tif 000012